(57)【要約】【課題】家具としての十分なデザイン性と、十分な剛性及び安定性を兼ね備え、かつ、４０〜５０ｍｍ程の極めて小さい厚さ寸法に折りたたむことができる折りたたみデスクを提供する。【解決手段】縦型のフレーム２と、可動天板３と、二枚の可動側板４とによって構成され、フレーム２が、上部２１、左側部２４、及び、右側部からなる木製板材によってコの字状に形成され、可動天板３が、ヒンジを介してフレーム２の上部２１に連結され、下方へ向かって垂直に延在する収縮状態から、前方へ向かって水平に延在する拡開状態へ姿勢を変更できるように構成され、可動側板４が、ヒンジ６ｂを介してフレーム２の左側部２４及び右側部に一つずつ連結され、フレーム２の内側に嵌まり込んだ収縮状態から、前方へ向かって延在する拡開状態へ姿勢を変更できるように構成した。【選択図】図４
0003233114.tif 000002
【実用新案登録請求の範囲】
【請求項１】
縦型のフレームと、木製の可動天板と、二枚の木製の可動側板とによって構成され、
フレームが、上部、左側部、及び、右側部からなる三枚の木製板材によってコの字状に形成され、
フレームの上部は、長手方向が水平となるように、かつ、幅広面が垂直となるように配置され、
フレームの左側部及び右側部は、長手方向が垂直となるように、かつ、幅広面が上部の幅広面と面一となるように、左右に間隔を置いて配置され、
可動天板が、ヒンジを介してフレームの上部に連結され、フレームの上部の前面側下端縁から下方へ向かって垂直に延在する収縮状態から、フレームの上部から前方へ向かって水平に延在する拡開状態へ姿勢を変更できるように構成され、
二枚の可動側板が、ヒンジを介してフレームの左側部及び右側部に一つずつ連結され、フレームに対して面一となるようにフレームの内側に嵌まり込んだ収縮状態から、フレームの左側部及び右側部から前方へ向かって延在する拡開状態へ姿勢を変更できるように構成され、
拡開状態において、可動側板の各上端縁によって可動天板の左右両側縁部が支持されることにより、可動天板の拡開状態の姿勢が維持されるように構成されていることを特徴とする折りたたみデスク。
【請求項２】
矩形状の縦型のフレームと、木製の可動天板と、二枚の木製の可動側板とによって構成され、
フレームが、上部、下部、左側部、及び、右側部からなる四枚の木製板材によって、内側に所定の大きさの空間を有する矩形枠状に形成され、
フレームの上部及び下部は、長手方向が水平となるように、かつ、幅広面が垂直となるように、上下に間隔を置いて配置され、
フレームの左側部及び右側部は、長手方向が垂直となるように、かつ、幅広面が上部及び下部の幅広面と面一となるように、左右に間隔を置いて配置され、
可動天板が、ヒンジを介してフレームの上部に連結され、フレームの上部の前面側下端縁から下方へ向かって垂直に延在する収縮状態から、フレームの上部から前方へ向かって水平に延在する拡開状態へ姿勢を変更できるように構成され、
二枚の可動側板が、ヒンジを介してフレームの左側部及び右側部に一つずつ連結され、フレームに対して面一となるようにフレームの内側に嵌まり込んだ収縮状態から、フレームの左側部及び右側部から前方へ向かって延在する拡開状態へ姿勢を変更できるように構成され、
拡開状態において、可動側板の各上端縁によって可動天板の左右両側縁部が支持されることにより、可動天板の拡開状態の姿勢が維持されるように構成されていることを特徴とする折りたたみデスク。
【請求項３】
キャスターが、二枚の可動側板の下端に一つずつ取り付けられていることを特徴とする、請求項１又は請求項２に記載の折りたたみデスク。
【請求項４】
可動側板を連結するヒンジから最も離れた位置に、キャスターが取り付けられていることを特徴とする、請求項３に記載の折りたたみデスク。
【請求項５】
可動天板の下側面に、可動側板のずれ留め手段を配置したことを特徴とする、請求項１〜４のいずれかに記載の折りたたみデスク。
【請求項６】
ずれ留め手段が、可動側板の上縁部を嵌合させることができる下向きの溝部を有していることを特徴とする、請求項５に記載の折りたたみデスク。
【請求項７】
フレームの上部の背面側に、係止用凹部が形成されていることを特徴とする、請求項１〜６のいずれかに記載の折りたたみデスク。
【考案の詳細な説明】
【技術分野】
【０００１】
本考案は、折りたたむことによって外形寸法を縮小することができ、僅かな空きスペース等に収容することができる折りたたみデスクに関する。
【背景技術】
【０００２】
不使用時に僅かな空きスペースに収容できるように、或いは、携帯が可能なように、天板及び／又は脚部を折りたたむことによって外形寸法を縮小することができるように構成した折りたたみデスクとして、様々なタイプのものが考案されている。
【先行技術文献】
【特許文献】
【０００３】
【特許文献１】実用新案登録第３２２４８８６号公報
【特許文献２】実開平５−８２３２２号公報
【考案の概要】
【考案が解決しようとする課題】
【０００４】
従来の折りたたみデスクには、折りたたんだ際に、極めて薄い寸法（例えば５０ｍｍ以下）とすることができるものも存在するが、剛性や安定性に欠けていたり、金属パイプ等を使用した、木製家具としてのデザイン性に欠けるものが殆どであった。
【０００５】
本考案は、このような従来技術における問題を解決しようとするものであって、木製家具としての十分なデザイン性と、十分な剛性及び安定性を兼ね備え、かつ、４０〜５０ｍｍ程の極めて小さい厚さ寸法に折りたたむことができる折りたたみデスクを提供することを目的とする。
【課題を解決するための手段】
【０００６】
本考案に係る折りたたみデスクは、縦型のフレームと、木製の可動天板と、二枚の木製の可動側板とによって構成され、フレームが、上部、左側部、及び、右側部からなる三枚の木製板材によってコの字状に形成され、フレームの上部は、長手方向が水平となるように、かつ、幅広面が垂直となるように配置され、フレームの左側部及び右側部は、長手方向が垂直となるように、かつ、幅広面が上部の幅広面と面一となるように、左右に間隔を置いて配置され、可動天板が、ヒンジを介してフレームの上部に連結され、フレームの上部の前面側下端縁から下方へ向かって垂直に延在する収縮状態から、フレームの上部から前方へ向かって水平に延在する拡開状態へ姿勢を変更できるように構成され、二枚の可動側板が、ヒンジを介してフレームの左側部及び右側部に一つずつ連結され、フレームに対して面一となるようにフレームの内側に嵌まり込んだ収縮状態から、フレームの左側部及び右側部から前方へ向かって延在する拡開状態へ姿勢を変更できるように構成され、拡開状態において、可動側板の各上端縁によって可動天板の左右両側縁部が支持されることにより、可動天板の拡開状態の姿勢が維持されるように構成されていることを特徴としている。
【０００７】
また、本考案に係る折りたたみデスクは、矩形状の縦型のフレームと、木製の可動天板と、二枚の木製の可動側板とによって構成され、フレームが、上部、下部、左側部、及び、右側部からなる四枚の木製板材によって、内側に所定の大きさの空間を有する矩形枠状に形成され、フレームの上部及び下部は、長手方向が水平となるように、かつ、幅広面が垂直となるように、上下に間隔を置いて配置され、フレームの左側部及び右側部は、長手方向が垂直となるように、かつ、幅広面が上部及び下部の幅広面と面一となるように、左右に間隔を置いて配置され、可動天板が、ヒンジを介してフレームの上部に連結され、フレームの上部の前面側下端縁から下方へ向かって垂直に延在する収縮状態から、フレームの上部から前方へ向かって水平に延在する拡開状態へ姿勢を変更できるように構成され、二枚の可動側板が、ヒンジを介してフレームの左側部及び右側部に一つずつ連結され、フレームに対して面一となるようにフレームの内側に嵌まり込んだ収縮状態から、フレームの左側部及び右側部から前方へ向かって延在する拡開状態へ姿勢を変更できるように構成され、拡開状態において、可動側板の各上端縁によって可動天板の左右両側縁部が支持されることにより、可動天板の拡開状態の姿勢が維持されるように構成されていることを特徴としている。
【０００８】
尚、二枚の可動側板の下端には、キャスターがそれぞれ取り付けられていることが好ましく、この場合、可動側板を連結するヒンジから最も離れた位置に取り付けられていることが好ましい。また、可動天板の下側面に、可動側板のずれ留め手段を配置することが好ましく、更に、このずれ留め手段は、可動側板の上縁部を嵌合させることができる下向きの溝部を有していることが好ましい。また、フレームの上部の背面側には、係止用凹部が形成されていることが好ましい。
【考案の効果】
【０００９】
本考案に係る折りたたみデスクは、木製家具としての十分なデザイン性と、十分な剛性及び安定性を兼ね備え、かつ、４０〜５０ｍｍ程の極めて小さい厚さ寸法に折りたたむことができ、室内の僅かな空きスペース等に好適に収納することができる。
【図面の簡単な説明】
【００１０】
【図１】図１は、本考案の第一実施形態に係る折りたたみデスク１の収縮状態を示す斜視図であり、図１（１）は、可動天板３を含む全体を示す図、図１（２）は、図１（１）の可動天板３の表示を省略した図である。
【図２】図２は、図１（１）に示す折り畳みデスク１の垂直断面図である。
【図３】図３は、図１に示す折りたたみデスク１における可動天板３の拡開状態を示す斜視図である。
【図４】図４は、図１に示す折りたたみデスク１における可動天板３及び可動側板４の拡開状態を示す斜視図である。
【図５】図５は、本考案の第二実施形態に係る折りたたみデスク１の収縮状態を示す斜視図（可動天板３の表示を省略）である。
【図６】図６は、ずれ留め手段３１を配置した状態を示す可動天板３等の断面図である。
【考案を実施するための形態】
【００１１】
以下、添付図面に沿って本考案に係る折りたたみデスクの実施形態について説明する。図１は、本考案の第一実施形態に係る折りたたみデスク１の収縮状態（可動部を折りたたんだ状態）を示す斜視図であって、図１（１）は、可動天板３を含む全体を示す図、図１（２）は、可動天板３の表示を省略した図である。この折りたたみデスク１は、図１（１）に示すように、縦型のフレーム２と、木製の可動天板３と、二枚の木製の可動側板４とによって構成されている。
【００１２】
フレーム２は、図１（２）に示すように、上部２１、左側部２４、及び、右側部２５によって形成されている。より具体的には、上部２１を、長手方向が水平となるように、かつ、幅広面が垂直となるように配置するとともに、左側部２４及び右側部２５を、長手方向が垂直となるように、かつ、幅広面が上部２１の幅広面と面一となるように、左右に間隔を置いて配置し、上部２１の左側端部と左側部２４の上端部を連結するとともに、上部２１の右側端部と右側部２５の上端部を連結することにより、コの字状に形成されている。
【００１３】
尚、本実施形態においては、上部２１、左側部２４、及び、右側部２５はいずれも厚さ２０ｍｍの木製板材によって形成されており、フレーム２の外径寸法は、横幅が９００ｍｍ、高さが７７０ｍｍ、厚さが２０ｍｍとなっている。
【００１４】
可動側板４は、ヒンジ６ｂを介して、フレーム２の左側部２４及び右側部２５に一つずつ連結されており、フレーム２の左側部２４及び右側部２５の各内側端縁近傍の垂直軸線を中心としてそれぞれ９０°回動させることができ、図１（２）及び図３に示すように、フレーム２の内側（上部２１の下方側、左側部２４と右側部２５の間）に嵌まり込んだ状態（収縮状態）から、図４（可動天板３及び可動側板４の拡開状態を示す斜視図）に示すように、フレーム２の左側部２４及び右側部２５からそれぞれ前方へ向かって延在する状態（拡開状態）へ、姿勢を変更できるように構成されている。
【００１５】
本実施形態においては、可動側板４は厚さ２０ｍｍの木製板材によって形成されており、フレーム２の内側に嵌まり込んだ収縮状態にあるとき、図２（折り畳みデスク１の垂直断面図）に示すように、表面及び裏面がフレーム２と面一となる。
【００１６】
可動天板３は、ヒンジ６ａ（図１（１）参照）を介して、フレーム２の上部２１に連結されており、上部２１の前面側下端縁近傍の水平軸線を中心として９０°回動させることができ、図１（１）に示すように、フレーム２の上部２１の下端縁近傍から下方へ向かって垂直に延在する状態（収縮状態）から、図３（可動天板３の拡開状態を示す斜視図）に示すように、フレーム２の上部２１から前方へ向かって水平に延在する状態（拡開状態）へ、姿勢を変更できるように構成されている。
【００１７】
そして、図４に示すように、可動天板３は、その左右両側縁部が、拡開状態の可動側板４の各上縁部によって支持されることにより、姿勢（拡開状態）が安定的に維持され、デスクとして好適に使用することができる。また、可動側板４が拡開状態にあるとき、折りたたみデスク１は、フレーム２（左側部２４及び右側部２５）の下端部及び可動側板４の各下縁部によって安定的に支持される。
【００１８】
尚、本実施形態においては、可動天板３は厚さ２０ｍｍの木製板材によって形成されており、可動天板３が図１（１）に示す収縮状態にあるとき、折りたたみデスク１の厚さ寸法（キャスター５が取り付けられている下端部を除く）は、合計で４０ｍｍ（フレーム２及び可動側板４の２０ｍｍ＋可動天板３の２０ｍｍ）となり、極めて薄くすることができる。このため、僅かな空きスペース、例えば、屋内装置品（家電製品、家具等）と壁の間の隙間等に問題なく収納することができる。また、図２に示すように、フレーム２の上部２１の背面側に、係止用凹部２１ａを形成した場合には、室内の壁面に固定したフック等（図示せず）を利用して、折りたたみデスク１を壁面等に沿って吊すことができる。
【００１９】
また、上記実施形態においては、フレーム２がコの字状に形成されているが（図１（２）参照）、図５に示すように、フレーム２を、上部２１、下部２２、左側部２４、及び、右側部２５によって、内側に所定の大きさの空間を有する矩形枠状に形成する（より具体的には、上部２１及び下部２２を、長手方向が水平となるように、かつ、幅広面が垂直となるように、上下に間隔を置いて配置するとともに、左側部２４及び右側部２５を、長手方向が垂直となるように、かつ、幅広面が上部２１及び下部２２の幅広面と面一となるように、左右に間隔を置いて配置し、それらの端部同士を連結する）こともできる。尚、可動側板４の下端（ヒンジ６ｂから最も離れた位置）には、キャスター５をそれぞれ取り付けることができる。
【００２０】
更に、図６に示すように、可動天板３（拡開状態）の下側面に、可動側板４（拡開状態）の上縁部を嵌合させることができる下向きの溝部３２を有するずれ留め手段３１を配置することもでき、この場合、拡開状態において、可動側板４の横方向へのずれを防止することができ、折りたたみデスク１の拡開状態における安定性を向上させることができる。
【符号の説明】
【００２１】
１：折りたたみデスク、
２：フレーム、
３：可動天板、
４：可動側板、
５：キャスター、
６ａ，６ｂ：ヒンジ、
２１：上部、
２１ａ：係止用凹部、
２２：下部、
２４：左側部、
２５：右側部、
３１：ずれ留め手段、
３２：溝部
【図１】
0003233114.tif 000003
【図２】
0003233114.tif 000004
【図３】
0003233114.tif 000005
【図４】
0003233114.tif 000006
【図５】
0003233114.tif 000007
【図６】
0003233114.tif 000008